(57)【要約】【課題】ステップ運動とツイスト運動が同時に出来るような複合式フィットネス運動器材に関するツイストステッパーを提供する。【解決手段】  本考案のツイストステッパーは、基材の所定箇所に複数の開孔を有する主フレーム体１０と、該主フレーム体の前端部側に固定された頂面が互いに相対する傾斜開口端面を有する一対の保持部材１１と、主フレーム体のほぼ中央位置に配設した枢支部材１２と有し、該枢支部材に枢着される全体がバー形状に形成された平衡バー２０とを備え、該平衡バーは中間に枢支孔２０１を有し、かつ両端頂部には上端に向かって延伸するストッパー２１を形成してなり、前記主フレーム体の枢支部材で枢支され、前記各保持部材の傾斜開口端面には、夫々貫通孔を有する複数の斜動ブロック３０と共に、左右一対のペダルの足踏み板４１の先端側に突設する連結バー４２がそれぞれ連結固定され、前記一対のペダル４０の底面部は、前記平衡バーの上面に支持されると共に、後方底面部には、一端が常時上方に付勢するスプリング５０が配設されている構成とした。【選択図】図１
0003107111.tif 000002
【実用新案登録請求の範囲】
【請求項１】
基材の所定箇所に複数の開孔を有する主フレーム体と、該主フレーム体の前端部側に固定された頂面が互いに相対する傾斜開口端面を有する一対の保持部材と、主フレーム体のほぼ中央位置に配設した枢支部材と有し、該枢支部材に枢着される全体がバー形状に形成された平衡バーとを備え、該平衡バーは中間に枢支孔を有し、かつ両端頂部には上端に向かって延伸するストッパーを形成してなり、前記主フレーム体の枢支部材で枢支され、
前記各保持部材の傾斜開口端面には、夫々貫通孔を有する複数の斜動ブロックと共に、左右一対のペダルの足踏み板の先端側に突設する連結バーがそれぞれ連結固定されており、
前記一対のペダルの底面部は、前記平衡バーの上面に支持されると共に、一端が常時上方に付勢するスプリングが配設されていることを特徴とするツイストステッパー。
【請求項２】
前記平衡バーと前記主フレーム体間に、バッファ素子を加設していることを特徴とする請求項１に記載のツイストステッパー。
【請求項３】
前記斜動ブロックは、前記斜動ブロックは、前記ねじと前記連結バーを単一で、前記保持部材に組み付け又は二つの前記斜動ブロックと前記連結バー及び前記ねじを前記保持部材に組み付けを可能としたことを特徴とする請求項１に記載のツイストステッパー。
【考案の詳細な説明】
【技術分野】
【０００１】
本考案は、ツイストステッパーに関するものであって、特に、ステップ運動とツイスト運動が同時に出来るような複合式フィットネス運動器材に関するものである。
【背景技術】
【０００２】
科学技術の発展及び生産技術の飛躍的な進歩に伴って、一般の民衆は余暇のライフスタイルを重視するようになってきた。多くの人は日頃忙しく、休日になると運動をしたいと思うが、場所やその他の要因でそれが達成できず、長期に亘ってそのような状態が続くと、体力が衰え、健康にも影響を与えるので、日頃の習慣的な運動を妨げるのを防止するため、現代人の要求に符合した各種運動器材がある。
一般によく見受けられるのは、筋肉を鍛錬するものが主で、通常、使用者はもっと多くの部位を鍛えたい場合には、新たに器材を買い求めなければならず、よって、使用者にとっては、経済的にも生活空間的観点から見ても理想的とは言えない。また、新しい運動器材は、使用者が時間を費やさなければ効果が得られないのに、現代人には余暇の時間が少ないという問題があり、よって、如何にしてこの問題を改善するかが研究開発者の研究課題となっている。                                                              
【考案の開示】
【考案が解決しようとする課題】
【０００３】
上述の問題を解決するため、本考案は、ツイストステッパーを提供する。
【課題を解決するための手段】
【０００４】
本考案のツイストステッパーは、基材の所定箇所に複数の開孔を有する主フレーム体と、該主フレーム体の前端部側に固定された頂面が互いに相対する傾斜開口端面を有する一対の保持部材と、主フレーム体のほぼ中央位置に配設した枢支部材と有し、該枢支部材に枢着される全体がバー形状に形成された平衡バーとを備え、該平衡バーは中間に枢支孔を有し、かつ両端頂部には上端に向かって延伸するストッパーを形成してなり、前記主フレーム体の枢支部材で枢支され、前記各保持部材の傾斜開口端面には、夫々貫通孔を有する複数の斜動ブロックと共に、左右一対のペダルの足踏み板の先端側に突設する連結バーがそれぞれ連結固定されており、前記一対のペダルの底面部は、前記平衡バーの上面に支持されると共に、一端が常時上方に付勢するスプリングが配設されていることを特徴とする。
また、前記平衡バーと前記主フレーム体間に、バッファ素子を加設していることを特徴とする。
前記斜動ブロックは、前記ねじと前記連結バーを単一で、前記保持部材に組み付け又は二つの前記斜動ブロックと前記連結バー及び前記ねじを前記保持部材に組み付けを可能としたことを特徴とする。
【考案の効果】
【０００５】
本考案は、公知技術と比較すると、以下のような長所がある。
（１）本考案の二つのペダルは、使用者がステップ運動をする以外に、連結バーが斜動ブロック保持部材に組み入れられているので、ペダルが作動する時、保持部材と斜動ブロックの引導作用を受けて、斜め方向に滑り、ステップとツイストの運動状態が達成される。
（２）更に、本考案は使用者が複合式のフィットネス効果を達成でき、単一の運動しか出来ない器材と比較すると、占有する空間、或いは、費やす費用が大幅に減少できる。
【考案を実施するための最良の形態】
【０００６】
以下、添付図面を参照して本考案の好適な実施の形態を詳細に説明する。
【実施例】
【０００７】
図１〜図５は、本考案のツイストステッパーの実施例を示す図であって、図１は全体斜視図、図２は分解斜視図、図３は正面図、図４は平面図、図５は要部の説明図である。
【０００８】
図１に示すように、基材の所定箇所に複数の開孔１０１を有する主フレーム体１０と、該主フレーム体１０の前端部側に固定された、頂面が互いに相対する傾斜開口端面を有する一対の保持部材１１と、主フレーム体１０のほぼ中央位置に配設した枢支部材１２と有し、該枢支部材１２に配設されたバッファ素子６０を介して枢着される全体がバー形状に形成された平衡バー２０を備え、該平衡バー２０は中間に枢支孔２０１を有し、かつ両端頂部には上端に向かって延伸するストッパー２１を形成してなり、前記主フレーム体１０の枢支部材１２で、ねじ７０により枢支されるようになっている。
【０００９】
前記各保持部材１１の傾斜開口端面には、夫々貫通孔３０１を有し主フレーム体１０の二つの対応する保持部材１１に取り付けられた複数の斜動ブロック３０がそれぞれ揺動自在に配設され、左右一対のペダル４０の足踏み板４１の先端側に突設する連結バー４２がそれぞれねじ７０により連結固定されるようになっている。
【００１０】
前記一対のペダル４０は、それぞれ全体が扁平な足踏み板４１を備え、かつ先端側には上方に湾曲した形状になる突設部４１ａを有し、該突設部４１ａの先端側には前記連結バー４１が形成されている。前記足踏み板４１の前方底面部は、前記バッファ素子６０を介して枢着される全体がバー形状に形成された平衡バー２０の上面に支持されると共に、僅か後方底面部には、一端が常時上方に付勢するコイルスプリング５０が取り付けられている。
【００１１】
上述のような構成により、本考案の使用時、使用者は、直接、左右一対のペダル４０の足踏み板４１上に立ち、使用者は足踏み板４１に対し、上下に作動するステップの動作を行うことで、ペダル４０は、連結バー４２が保持部材１１に揺動自在に設置されているため、保持部材１１と斜動ブロック３０の引導作用を受けて、斜め方向に滑り、同時に、ペダル４０の底面部が平衡バー２０の一端を押圧し、平衡バー２０は、枢支孔２０１、枢支部材１２、及び、ねじ７０を支点として、下向けに踏む力が支点により、もう一端の上方向の力に転換され、もう一つのペダル４０を斜め方向に滑らせ、これにより、使用者が足踏み運動を開始する時、動作のバランスを保持する。したがって、保持部材１１と斜動ブロック３０の作用により、身体は自然に腰部をツイストし、複合式フィットネスの運動効果を達成する。
【００１２】
斜動ブロック３０は、ねじ７０と連結バー４２を単一で保持部材１１に組み入れてもよいし、変形例として二つの斜動ブロック３０と連結バー４２及びねじ７０を保持部材１１に組み入れてもよい。
【００１３】
本考案の長所は以下のようである。
（１）本考案のツイストステッパーは、新規性を有し、実用新案の要件に符合するものである。
（２）本考案の二つのペダルは、使用者がステップ運動をする以外に、連結バー４２が斜動ブロック３０と保持部材１１に組み入れられているので、これにより、ペダル４０が作動されると、保持部材１１と斜動ブロック３０の引導作用を受けて、斜め方向に滑り、ステップとツイストの運動状態が達成される。
（３）更に、本考案は使用者が複合式のフィットネス効果を達成でき、単一の運動しか出来ない器材と比較すると、占有する空間、或いは、費やす費用が大幅に減少できる。
【図面の簡単な説明】
【００１４】
【００１５】
【図１】本考案のツイストステッパーに係る実施例を示す全体斜視図である。
【図２】図１の分解斜視図である。
【図３】図１の使用状態を示す正面図である。
【図４】図１の使用状態を示す平面図である。
【図５】本考案のツイストステッパーに係る斜動ブロックと連結バーの変形例を要部説明図である。
【符号の説明】
【００１６】
１０…主フレーム体
１０１…孔
１１…保持部材
１２…枢支部材
２０…平衡バー
２０１…枢支孔
２１…ストッパー    
３０…斜動ブロック
３０１…貫通孔
４０…ペダル
４１…足踏み板
４２…連結バー
５０…スプリング
６０…バッファ素子
７０…ねじ    
【図１】
0003107111.tif 000003
【図２】
0003107111.tif 000004
【図３】
0003107111.tif 000005
【図４】
0003107111.tif 000006
【図５】
0003107111.tif 000007